(57)【要約】      （修正有）【課題】簡素な構造でありながら強度に優れた室外機置場を提供する。【解決手段】室外機置場１Ａは、建物の外壁５に片持ち状に支持されて外壁から水平に突出した床体２と、床体の外縁部から立設した立設体３と、一端４１が外壁に固定され、他端４２が立設体に固定された補強用の斜材４と、を備えている。この室外機置場１Ａは、外壁に対する取り付け強度を一対の斜材４によって補強しているので、簡素な構造でありながらも、人が乗っても耐え得る強度を有している。さらに、床体が外壁に設けられた窓６よりも下方に配置され、立設体の上端が窓の下端と上端の間に配置され、一対の上端横材３３と両端支持材２１が窓の外側に配置されている。この室外機置場は、窓手摺を兼ねることができる。【選択図】図１
0003210158.tif 000002
【実用新案登録請求の範囲】
【請求項１】
建物外壁に片持ち状に支持されて前記外壁から水平に突出する床体と、前記床体の外縁部から立設した立設体と、を備えた室外機置場であって、
一端が前記外壁に固定され、他端が前記床体又は前記立設体に固定される補強用の斜材をさらに備えた
ことを特徴とする室外機置場。
【請求項２】
前記外壁に固定される前記斜材の一端が、前記斜材の他端よりも上方に配置される
ことを特徴とする請求項１に記載の室外機置場。
【請求項３】
前記外壁に固定される前記斜材の一端が、前記斜材の他端よりも下方に配置される
ことを特徴とする請求項１に記載の室外機置場。
【請求項４】
前記斜材が、前記立設体と前記外壁とで囲まれる空間内に配置され、かつ、前記斜材の一端が前記立設体の上端よりも下方に配置される
ことを特徴とする請求項２又は３に記載の室外機置場。
【請求項５】
前記床体が、前記外壁に設けられた窓よりも下方に配置され、前記立設体の上端が、前記窓の下端から上端の間に配置される
ことを特徴とする請求項１〜４のうち何れか１項に記載の室外機置場。
【考案の詳細な説明】
【技術分野】
【０００１】
本考案は、空調機の室外機置場に関する。
【背景技術】
【０００２】
従来、空調機（エアコン）の室外機置場として、建物外壁から水平に突出した床体と、この床体周りに立設した壁体と、を備えた構造のものが公知である（例えば特許文献１を参照。）。
【先行技術文献】
【特許文献】
【０００３】
【特許文献１】特開２００９−２７５４０２号公報
【考案の概要】
【考案が解決しようとする課題】
【０００４】
上述したような建物外壁に設置される室外機置場においては、室外機の設置時やメンテナンス時に作業者が乗っても耐え得る強度を備えていることが好ましく、この強度の点で特許文献１の室外機置場は改善の余地があった。本考案はこのような観点からなされたものであり、簡素な構造でありながら強度に優れた室外機置場を提供することを課題とする。
【課題を解決するための手段】
【０００５】
請求項１に記載された考案は、建物外壁に片持ち状に支持されて前記外壁から水平に突出する床体と、前記床体の外縁部から立設した立設体と、を備えた室外機置場であって、一端が前記外壁に固定され、他端が前記床体又は前記立設体に固定される補強用の斜材をさらに備えたことを特徴とする室外機置場である。
【０００６】
請求項２に記載された考案は、請求項１に記載された考案において、前記外壁に固定される前記斜材の一端が、前記斜材の他端よりも上方に配置されることを特徴とするものである。
【０００７】
請求項３に記載された考案は、請求項１に記載された考案において、前記外壁に固定される前記斜材の一端が、前記斜材の他端よりも下方に配置されることを特徴とするものである。
【０００８】
請求項４に記載された考案は、請求項２又は３に記載された考案において、前記斜材が、前記立設体と前記外壁とで囲まれる空間内に配置され、かつ、前記斜材の一端が前記立設体の上端よりも下方に配置されることを特徴とするものである。
【０００９】
請求項５に記載された考案は、請求項１〜４のうち何れか１項に記載された考案において、前記床体が、前記外壁に設けられた窓よりも下方に配置され、前記立設体の上端が、前記窓の下端から上端の間に配置されることを特徴とするものである。
【考案の効果】
【００１０】
請求項１〜３に記載された考案によれば、一端が前記外壁に固定され、他端が前記床体又は前記立設体に固定される補強用の斜材をさらに備えているので、簡素な構造でありながら、人が乗っても耐え得る、強度に優れた室外機置場を提供することができる。
【００１１】
請求項４に記載された考案によれば、前記斜材が、前記立設体と前記外壁とで囲まれる空間内に配置され、かつ、前記斜材の一端が前記立設体の上端よりも下方に配置されるので、建物の外側から見た際に、斜材を目立ち難くすることができ、見栄えを良好にすることができる。
【００１２】
請求項５に記載された考案によれば、前記床体が、前記外壁に設けられた窓よりも下方に配置され、前記立設体の上端が、前記窓の下端から上端の間に配置されるので、窓手摺を兼ねた室外機置場を提供することができる。
【図面の簡単な説明】
【００１３】
【図１】本考案の第１実施形態にかかる室外機置場の斜視図である。
【図２】図１の室外機置場の構成を説明するための説明図である。
【図３】本考案の第２実施形態にかかる室外機置場の説明図である。
【図４】本考案の第３実施形態にかかる室外機置場の説明図である。
【考案を実施するための形態】
【００１４】
（第１実施形態）
本考案の第１実施形態にかかる「室外機置場」を、図１〜２を参照して説明する。図１に示す室外機置場１Ａは、空調機（エアコン）を設置するためのものである。この室外機置場１Ａは、建物の外壁５に片持ち状に支持されて外壁５から水平に突出した床体２と、床体２の外縁部から立設した立設体３と、一端４１が外壁５に固定され、他端４２が立設体３に固定された補強用の斜材４と、を備えている。図１中の符号６は、外壁５に設けられた窓である。
【００１５】
床体２は、外壁５から互いに間隔をあけて垂直に突出した一対の両端支持材２１と、外壁５から垂直に突出するとともに一対の両端支持材２１間に配置された中央支持材２３と、これら一対の両端支持材２１及び中央支持材２３の外壁５から離れた先端に連結された連結材２４と、一対の両端支持材２１と中央支持材２３との間に架け渡された複数の横材２５と、を備えている。これら一対の両端支持材２１、中央支持材２３、連結材２４、複数の横材２５は、金属で構成されており、角柱状（中空であっても中実であっても良い。）に形成されている。一対の両端支持材２１及び中央支持材２３は、金具とボルトとを用いた一般的な建築工法によって外壁５に片持ち状に固定されている。連結材２４及び複数の横材２５は、外壁５と平行に延びている。床体２は、全体として矩形状に形成されている。
【００１６】
立設体３は、一対の両端支持材２１と連結材２４とが接する角部二箇所から上方に立設した一対の両端柱３１と、これら一対の両端柱３１の上端に連結された上端横材３３と、この上端横材３３と一対の両端支持材２１との間、及び、上端横材３３と連結材２４との間に架け渡された複数の縦材３４と、を備えている。これら一対の両端柱３１、上端横材３３、複数の縦材３４は、金属で構成されており、角柱状（中空であっても中実であっても良い。）に形成されている。上端横材３３は、一対の両端支持材２１それぞれと平行な部分と、連結材２４と平行な部分とを有するコ字状に形成されている。
【００１７】
斜材４は、金属で構成されており、角柱状（中空であっても中実であっても良い。）に形成されている。斜材４の一端４１は、金具とボルトとを用いた一般的な建築工法によって外壁５に固定されている。斜材４の他端４２は、金具とボルトとによって両端柱３１の中間部に固定されている。斜材４の一端４１は、他端４２よりも上方に配置されている。また、斜材４は左右に一対設けられており、各斜材４が一対の両端柱３１それぞれに固定されている。さらに、一対の斜材４は、立設体３と外壁５とで囲まれる空間内に配置され、かつ、一端４１が立設体３の上端よりも下方に配置されている。このような構成により、室外機置場１Ａを建物の外側から見た際に、斜材４を目立ち難くすることができ、見栄えを良好にすることができる。
【００１８】
このような室外機置場１Ａは、外壁５に対する取り付け強度を一対の斜材４によって補強しているので、簡素な構造でありながらも、人が乗っても耐え得る強度を有している。
【００１９】
さらに、室外機置場１Ａは、図２に示すように、床体２が外壁５に設けられた窓６よりも下方に配置され、立設体３の上端（上端横材３３）が窓６の下端から上端の間に配置されている。そして、一対の両端支持材２１が窓６の外側に配置されている。このような構成により、室外機置場１Ａは、窓手摺を兼ねることができる。
【００２０】
（第１実施形態の変形例）
本考案の第１実施形態の変形例を説明する。第１実施形態の斜材４は、一端４１が他端４２よりも上方に配置されていたが、本考案においては、斜材４の一端４１が他端４２よりも下方に配置されていても良い。このように一端４１及び他端４２の上下高さ位置が第１実施形態と逆であっても、斜材４が立設体３と外壁５とで囲まれる空間内に配置され、かつ、一端４１が立設体３の上端よりも下方に配置されていることにより、この室外機置場を建物の外側から見た際に、斜材４を目立ち難くすることができ、見栄えを良好にすることができる。
【００２１】
（第２実施形態）
本考案の第２実施形態にかかる「室外機置場」を、図３を参照して説明する。図３において、前述した第１実施形態と同一構成部分には同一符号を付して説明を省略する。
【００２２】
本実施形態の室外機置場１Ｂは、図３に示すように、一対の斜材（一方のみを図示する。）４の固定位置が第１実施形態と異なっており、それ以外は第１実施形態と同一となっている。具体的には、斜材４の一端４１は、外壁５における立設体３の上端よりも上方に固定されている。斜材４の他端４２は、両端柱３１の上端近傍に固定されている。
【００２３】
このような室外機置場１Ｂは、第１実施形態の室外機置場１Ａと同様に、外壁５に対する取り付け強度を一対の斜材４によって補強しているので、簡素な構造でありながらも、人が乗っても耐え得る強度を有している。
【００２４】
（第３実施形態）
本考案の第３実施形態にかかる「室外機置場」を、図４を参照して説明する。図４において、前述した第１，２実施形態と同一構成部分には同一符号を付して説明を省略する。
【００２５】
本実施形態の室外機置場１Ｃは、図４に示すように、一対の斜材（一方のみを図示する。）４の固定位置が第１，２実施形態と異なっており、それ以外は第１，２の実施形態と同一となっている。具体的には、斜材４の一端４１は、外壁５における床体２よりも下方に固定されている。斜材４の他端４２は、連結材２４に固定されている。すなわち、斜材４の一端４１が、他端４２よりも下方に配置されている。
【００２６】
このような室外機置場１Ｃは、第１実施形態の室外機置場１Ａと同様に、外壁５に対する取り付け強度を一対の斜材４によって補強しているので、簡素な構造でありながらも、人が乗っても耐え得る強度を有している。
【００２７】
なお、上記実施形態は本考案の代表的な形態を示したに過ぎず、本考案は、当該実施形態に限定されるものではない。即ち、当業者は、従来公知の知見に従い、本考案の骨子を逸脱しない範囲で種々変形して実施することができる。かかる変形によってもなお本考案の室外機置場の構成を具備する限り、勿論、本考案の範疇に含まれるものである。
【００２８】
例えば、上述した実施形態では、室外機置場１Ａ〜１Ｃが一対の斜材４を備えていたが、本考案の室外機置場において、用いる斜材４の数は、一つであっても良いし、三つ以上であっても良い。また、上述した実施形態では、室外機置場１Ａ〜１Ｃが、上端横材３３と一対の両端支持材２１との間、及び、上端横材３３と連結材２４との間に架け渡された複数の縦材３４を備えていたが、本考案の室外機置場においては、複数の縦材３４の代わりに複数の横材を備えていても良い。その他、複数の縦材３４の代わりに、上端横材３３と一対の両端支持材２１との間、及び、上端横材３３と連結材２４との間に格子や金網を設けても良いし、パンチング加工が施された板を設けても良い。
【符号の説明】
【００２９】
１Ａ，１Ｂ，１Ｃ    室外機置場
２    床体
３    立設体
４    斜材
５    外壁
６    窓
【図１】
0003210158.tif 000003
【図２】
0003210158.tif 000004
【図３】
0003210158.tif 000005
【図４】
0003210158.tif 000006